(57)【要約】【課題】取り扱い性が改善された飲料容器を提供する。【解決手段】飲料容器１は、一端で開口し他端を閉鎖された筒状の容器本体２と、開口を少なくとも部分的に閉鎖するように取り付けられ、飲み口を形成する飲み口アダプター３と、を備えている。飲み口アダプター３は、容器本体２に取り付けられるアダプター本体４と、アダプター本体４に保持された弾性部材５と、を有している。そして、弾性部材５は、アダプター本体４に接触してシール部を形成する第１面１１と、第１面１１に対向して設けられ容器本体２の端面２ａに接触してシール部を形成する第２面１２と、を含み、第１面１１には、アダプター本体４を容器本体２へ取り付けた状態においてアダプター本体４に押し付けられる環状凸部８が、設けられている。【選択図】図１
2020079100.tif 000002
【特許請求の範囲】
【請求項１】
一端で開口し他端を閉鎖された筒状の容器本体と、
前記開口を少なくとも部分的に閉鎖するように取り付けられ、飲み口を形成する飲み口アダプターと、を備え、
前記飲み口アダプターは、前記容器本体に取り付けられるアダプター本体と、アダプター本体に保持された弾性部材と、を有し、
前記弾性部材は、アダプター本体に接触してシール部を形成する第１面と、前記第１面に対向して設けられ前記容器本体の（筒状部の環状）端面に接触してシール部を形成する第２面と、を含み、前記第１面には、前記アダプター本体を前記容器本体へ取り付けた状態において前記アダプター本体に押し付けられる環状凸部が、設けられている、飲料容器。
【請求項２】
前記アダプター本体は、円筒状の周壁部と、前記周壁部の全長に亘って接続した天壁部と、を有し、
前記環状凸部は、前記天壁部と前記周壁部との接続部に沿って、配置される、請求項１に記載の飲料容器。
【請求項３】
前記容器本体の端面は、前記容器本体が画成する開口面に対し、外側に向けて下側に傾斜する傾斜面を有している、請求項１又は２に記載の飲料容器。
【請求項４】
前記環状凸部は、前記容器本体の前記傾斜面の上側端縁の外側に位置している、請求項３に記載の飲料容器。
【請求項５】
前記アダプター本体は、円筒状の周壁部と、前記周壁部の全長に亘って接続した天壁部と、を有し、
前記弾性部材は前記天壁部に沿って広がる板状部を含み、前記環状凸部は前記板状部と一体的に形成されて前記板状部から突出している、請求項１〜４のいずれか一項に記載の飲料容器。
【請求項６】
前記アダプター本体の前記天壁部に孔が形成され、
前記弾性部材は、前記板状部と一体的に形成されて前記飲み口を形成する飲み口部を有し、
前記飲み口部は、前記アダプター本体の前記天壁部に設けられた前記孔を通過している、請求項５に記載の飲料容器。
【請求項７】
閉じた状態で前記飲み口を覆う開閉可能なキャップを更に備える、請求項１〜６のいずれか一項に記載の飲料容器。
【請求項８】
容器本体に取り付けられるキャップ組立体であって、
前記容器本体の開口を少なくとも部分的に閉鎖するように取り付けられ、飲み口を形成する飲み口アダプターを備え、
前記飲み口アダプターは、前記容器本体に取り付けられるアダプター本体と、前記アダプター本体に保持された弾性部材と、を有し、
前記弾性部材は、アダプター本体に接触してシール部を形成する第１面と、前記第１面に対向して設けられ前記容器本体の端面に接触してシール部を形成する第２面と、を含み、前記第１面には、前記アダプター本体を前記容器本体へ取り付けた状態において前記アダプター本体に押し付けられる環状凸部が、設けられている、キャップ組立体。
【発明の詳細な説明】
【技術分野】
【０００１】
本発明は、飲料容器および飲料容器に用いられるキャップ組立体に関する。
【背景技術】
【０００２】
一般に、乳幼児用の飲料容器は、飲料が収容される容器本体と、飲み口を形成する飲み口アダプターと、を有している。飲み口アダプターは、容器本体に取り外し可能に取り付けられる。
【先行技術文献】
【特許文献】
【０００３】
【特許文献１】実登３０９２５９６号公報
【発明の概要】
【発明が解決しようとする課題】
【０００４】
上述のような飲料容器では、飲み口アダプターを容器本体に取り付ける際、飲み口アダプターと容器本体との間との間から飲料が漏れ出ることを防止するため、飲み口アダプターと容器本体とを密着させて、両者の間にシールを形成する必要がある。これには大きな力を要し、飲料容器の取り扱い性を損なっていた。また、飲み口アダプターと容器本体とを互いに対してしっかりと押し付けても、飲み口アダプターには製造誤差等により個体差が生じるため、飲み口アダプターと容器本体との間に安定してシールを形成することは、困難であった。
【０００５】
本件発明は、以上の点を考慮してなされたものであって、飲み口アダプターの個体差に依存することなく十分に安定したシールを形成しながら、飲み口アダプターの容器本体への取り付けに必要となる力を低減して、飲料容器の取り扱い性を改善することを目的とする。
【課題を解決するための手段】
【０００６】
本発明による飲料容器は、
一端で開口し他端を閉鎖された筒状の容器本体と、
前記開口を少なくとも部分的に閉鎖するように取り付けられ、飲み口を形成する飲み口アダプターと、を備え、
前記飲み口アダプターは、前記容器本体に取り付けられるアダプター本体と、前記アダプター本体に保持された弾性部材と、を有し、
前記弾性部材は、アダプター本体に接触してシール部を形成する第１面と、前記第１面に対向して設けられ前記容器本体の端面に接触してシール部を形成する第２面と、を含み、前記第１面には、前記アダプター本体を前記容器本体へ取り付けた状態において前記アダプター本体に押し付けられる環状凸部が、設けられている。
【０００７】
本発明による飲料容器において、
前記アダプター本体は、円筒状の周壁部と、前記周壁部の全長に亘って接続した天壁部と、を有し、
前記環状凸部は、前記天壁部と前記周壁部との接続部に沿って、配置されてもよい。
【０００８】
本発明による飲料容器において、
容器本体の端面は、容器本体が画成する開口面に対し、外側に向けて下側に傾斜する傾斜面を有していてもよい。
【０００９】
本発明による飲料容器において、
前記環状凸部は、前記容器本体の前記傾斜面の上側端縁の外側に位置していてもよい。
【００１０】
本発明による飲料容器において、
前記アダプター本体は、円筒状の周壁部と、前記周壁部の全長に亘って接続した天壁部と、を有し、
前記弾性部材は前記天壁部に沿って広がる板状部を含み、前記環状凸部は前記板状部と一体的に形成されて前記板状部から突出していてもよい。
【００１１】
本発明による飲料容器において、
前記アダプター本体の前記天壁部に孔が形成され、
前記弾性部材は、前記板状部と一体的に形成されて前記飲み口を形成する飲み口部を有し、
前記飲み口部は、前記アダプター本体の前記天壁部に設けられた前記孔を通過していてもよい。
【００１２】
本発明による飲料容器において、
閉じた状態で前記飲み口を覆う開閉可能なキャップを更に備えていてもよい。
【００１３】
本発明によるキャップ組立体は、
容器本体に取り付けられるキャップ組立体であって、
前記容器本体の開口を少なくとも部分的に閉鎖するように取り付けられ、飲み口を形成する飲み口アダプターを備え、
前記飲み口アダプターは、前記容器本体に取り付けられるアダプター本体と、前記アダプター本体に保持された弾性部材と、を有し、
前記弾性部材は、アダプター本体に接触してシール部を形成する第１面と、前記第１面に対向して設けられ前記容器本体の端面に接触してシール部を形成する第２面と、を含み、前記第１面には、前記アダプター本体を前記容器本体へ取り付けた状態において前記アダプター本体に押し付けられる環状凸部が、設けられている。
【発明の効果】
【００１４】
本発明によれば、飲み口アダプターの個体差に依存することなく十分に安定したシールを形成しながら、飲み口アダプターの容器本体への取り付けに必要となる力を低減して、飲料容器の取り扱い性を改善することができる。
【図面の簡単な説明】
【００１５】
【図１】本発明の一実施の形態を説明するための図であって、飲料容器を示す側面図。
【図２】図１の飲料容器を上方から見た平面図。
【図３】図１の飲料容器を示す分解斜視図。
【図４】図２の飲料容器の、Ｉ−Ｉ線に沿った部分断面図。
【発明を実施するための形態】
【００１６】
以下、図面を参照して本発明の一実施の形態について説明する。
【００１７】
図１乃至図４は、本発明による飲料容器の一実施の形態を説明するための図である。このうち、図１および図２は、それぞれ、飲料容器の全体構成を示す側面図および平面図である。また、図３は、図１の飲料容器を示す分解斜視図であり、図４は、図２の飲料容器のＩ−Ｉ線に沿った部分断面図である。なお、図３において、図示の明確化のため、後述するストローの図示を省略している。
【００１８】
図１乃至図４に示す飲料容器１は、使用者（主に乳幼児）が飲み口を通じて茶やジュースなどの飲料を飲むための容器である。飲料容器１は、容器本体２と、上記飲み口を形成し、容器本体２に取り外し可能に取り付けられる飲み口アダプター３と、を備えている。飲み口アダプター３には、閉じた状態で飲み口を覆うキャップ６が取り付けられている。飲み口アダプター３及びキャップ６によって、キャップ組立体が構成されている。
【００１９】
容器本体２は、内部に飲料を収容するためのものである。図３によく示されているように、容器本体２は、一端（上端）で開口し他端（下端）で閉鎖された筒状に形成されている。容器本体２の上端部外周には、飲み口アダプター３を取り付けるための雄ネジ部２ｓが形成されている。
【００２０】
飲み口アダプター３は、容器本体２に取り付けられるアダプター本体４と、アダプター本体４に保持される弾性部材５と、を有する。後述するように、弾性部材５は、飲料容器１の使用者が口を付ける飲み口部２０を含む。
【００２１】
アダプター本体４は、図３によく示されているように、一端（上端）が部分的に閉鎖された筒状に形成されている。具体的には、アダプター本体４は、円筒状の周壁部４ａと、周壁部４ａの上端縁の全長に亘って接続した天壁部４ｂと、を有している。図１および図４に示すように、周壁部４ａの下端部内周には、雌ネジ部４ｓが形成されている。雌ネジ部４ｓは、容器本体２の雄ネジ部２ｓと噛み合う。雌ネジ部４ｓと雄ネジ部２ｓとを噛み合わせることで、アダプター本体４を容器本体２に取り付けることができる。図３に示すように、天壁部４ｂには、弾性部材５が取り付けられる取付孔４ｈが形成されている。また、天壁部４ｂには、天壁部４ｂから容器本体２とは反対の側に突出する突出部４ｃが設けられている。図１および図４に示すように、突出部４ｃは、その側部に、後述するキャップ６の係合凸部６ｄと係合し、キャップ６を閉じた状態に保持する係合凹部４ｄが形成されている。
【００２２】
弾性部材５は、図１、図３および図４によく示されているように、板状部１０と、飲み口を形成する飲み口部２０と、ストロー７が接続されるストロー受容部３０と、を有している。板状部１０と飲み口部２０とストロー受容部３０とは、一体的に形成されている。弾性部材５は、乳幼児が飲み口部２０に馴染み易いよう、シリコン等の柔らかな材料で作製されている。
【００２３】
板状部１０は、図３に示すように、全体として平板状である。図４に示すように、板状部１０は、アダプター本体４の天壁部４ｂと、容器本体２の開口を画成する環状の上端面２ａと、の間に配置される。板状部１０は、アダプター本体４の天壁部４ｂに沿って拡がり、天壁部４ｂと容器本体２の上端面２ａとの間でシールを形成する。より具体的には、板状部１０は、アダプター本体４に接触してシール部を形成する第１面１１と、第１面１１に対向して設けられ、容器本体２の上端面２ａに接触してシール部を形成する第２面１２と、を含む。図２および図４から理解されるように、板状部１０には、アダプター本体４の天壁部４ｂから板状部１０に向かう方向（上下方向）に見て、天壁部４ｂの取付孔４ｈ内となる位置に、容器本体２に通じる飲み口用開口１４および通気穴１５が設けられている。通気穴１５には、通気穴１５を閉鎖する弁板部１６が設けられている。
【００２４】
飲み口部２０は、図３に示すように、板状部１０の第１面１１から延び出している。飲み口部２０は、全体として円筒状である。図４に示すように、飲み口部２０の内部空間は、板状部１０の飲み口用開口１４を通じて容器本体２の内部空間と連通している。飲み口部２０は、アダプター本体４の取付孔４ｈを貫通している。
【００２５】
図２および図３に示すように、飲み口部２０および通気穴１５の周囲には、弾性部材５をアダプター本体４に取り付けるための取り付け部４０が形成されている。図４に示すように、取り付け部４０は、板状部１０の第１面１１から突出してアダプター本体４の取付孔４ｈを貫通している。取り付け部４０の上端部には、アダプター本体４の天壁部４ｂから板状部１０に向かう方向（上下方向）に見て取付孔４ｈの外側に延び出す延出部４１が形成されている。延出部４１がアダプター本体４の天壁部４ｂの板状部１０とは反対の側に配置されることにより、言い換えると天壁部４ｂの取付孔４ｈを画成する縁部が板状部１０と延出部４１との間に配置されることにより、弾性部材５はアダプター本体４に保持される。
【００２６】
ストロー受容部３０は、図１および図４に示すように、板状部１０の第２面１２から容器本体２内へ突出している。ストロー受容部３０は、円筒状であり、板状部１０の飲み口用開口１４の周囲に立設されている。ストロー受容部３０には、ストロー７の一端が接続されている。
【００２７】
なお、上述のように、互いに異なる機能を有する各部１０，２０，３０が一体に形成されていることにより、飲料容器１の部品点数を低減して洗浄時の取り扱い性を改善することができる。また、各部１０，２０，３０のアダプター本体４への組み付けを容易にすることができる。
【００２８】
次に、キャップ６について説明する。図１乃至図３に示すように、キャップ６は、ドーム状をなしており、閉じた状態で飲み口部２０を覆う。キャップ６で飲み口部２０を覆うことにより、飲み口部２０を衛生的に保つことができる。キャップ６は、飲み口アダプター３のアダプター本体４に、揺動軸線Ａｘを中心として揺動可能に接続している。そして、キャップ６は、飲み口アダプター３に相対動作することで開閉する。
【００２９】
キャップ６は、閉じた状態で飲み口部２０に対面する内側面６ａを有する。この内側面６ａには、キャップ６が閉じた状態で上述したアダプター本体４の係合凹部４ｄと係合する係合凸部６ｄが設けられている。係合凸部６ｄと係合凹部４ｄとが係合することにより、キャップ６は閉じた状態に維持される。
【００３０】
また、キャップ６は、その内側面６ａから突出して、キャップ６が閉じた状態で飲み口部２０を屈曲させ且つ押し潰して閉塞させる閉塞凸部６ｂを有する。飲み口部２０が閉塞されることにより、飲み口部２０から飲料が漏れ出ることが防止される。
【００３１】
キャップ６は、その内側面６ａから突出して、キャップ６が閉じた状態で弾性部材５の通気穴１５内に挿入されて、通気穴１５を覆う弁板部１６を開放する開放凸部６ｃを有する。通気穴１５の弁板部１６が開放されることにより、容器本体２の内圧が上昇して飲み口部２０から飲料が漏れ出る、ということが防止される。
【００３２】
ところで、容器本体と容器本体に取り外し可能に取り付けられる飲み口アダプターとを有する飲料容器においては、飲み口アダプターを容器本体に取り付ける際、飲み口アダプターと容器本体との間から飲料が漏れ出ることを防止するため、飲み口アダプターと容器本体とを密着させて、両者の間にシールを形成する必要がある。これには大きな力を要し、飲料容器の取り扱い性を損なっていた。また、飲み口アダプターと容器本体とを互いに対してしっかりと押し付けても、飲み口アダプターには製造誤差等により個体差が生じるため、飲み口アダプターと容器本体との間に安定してシールを形成することは困難であった。
【００３３】
このようなことを考慮して、本実施の形態の飲料容器１は、飲み口アダプター３の個体差に依存することなく十分に安定したシールを形成しながら、飲み口アダプター３の容器本体２への取り付けに必要となる力を低減して、飲料容器１の取り扱い性を改善するための工夫がなされている。
【００３４】
具体的には、図３に示すように、板状部１０の第１面１１に、その周縁部に沿って環状凸部８が設けられている。この環状凸部８は、アダプター本体４が容器本体２に取り付けられた状態で、アダプター本体４に（より具体的には天壁部４ｂに）押し付けられる。
【００３５】
このような板状部１０の第１面１１に環状凸部８が形成された弾性部材５を用いた飲料容器１では、環状凸部８が設けられていない弾性部材を用いた飲料容器と比較して、飲み口アダプター３を容器本体２に取り付けるための力を低減させることができる。なぜなら、飲み口アダプター３を容器本体２に取り付ける際、アダプター本体４の天壁部４ｂと容器本体２の上端面２ａとの間で弾性部材５の板状部１０が圧縮されて弾性部材５と容器本体２の上端面２ａとの間にシールが形成されるが、板状部１０の第１面１１に環状凸部８が形成されている場合、環状凸部８が設けられていない場合と比較して、アダプター本体４の天壁部４ｂと容器本体２の上端面２ａとの間で圧縮される弾性部材５の体積を低減させることができるからである。
【００３６】
また、板状部１０の第１面１１に環状凸部８を形成して、飲み口アダプター３を容器本体２に取り付ける際に弾性部材５の環状凸部８をアダプター本体４の天壁部４ｂに積極的に密着させることにより（すなわち、環状凸部８を板状部１０の他の部分に先行して天壁部４ｂに密着させることにより）、アダプター本体４や弾性部材５の個体差によって両者の密着性に違いが生じる虞を低減させることができる。したがって、飲み口アダプター３の個体差に依存することなく、アダプター本体４と弾性部材５との間に十分に安定してシールを形成することができる。
【００３７】
図示された例では、図４から理解されるように、環状凸部８は、アダプター本体４の周壁部４ａと天壁部４ｂとの接続部４ｅとなる隅部に沿って配置される。これにより、環状凸部８の配置が安定し、安定したシールを形成することができる。
【００３８】
さらに、図示された例では、図４から理解されるように、環状凸部８の少なくとも一部は、容器本体２の環状の上端面２ａ上に位置している。また、アダプター本体４の天壁部４ｂから板状部１０に向かう方向（上下方向）に見て、環状凸部８の幅８ｗは、容器本体２の上端面２ａの幅２ｗよりも小さい。これにより、飲み口アダプター３を容器本体２に取り付ける際、アダプター本体４の天壁部４ｂと容器本体２の上端面２ａとの間で圧縮される弾性部材５の体積を、環状凸部８が設けられていない場合と比較して、効果的に低減させることができる。また、飲み口アダプター３を容器本体２に取り付ける際、環状凸部８をアダプター本体４の天壁部４ｂに積極的に密着させるということ（すなわち、環状凸部８を板状部１０の他の部分に先行して天壁部４ｂに密着させるということ）を、効果的に実現することができる。
【００３９】
なお、図示された例では、環状凸部８は、板状部１０と一体的に形成されて、板状部１０の第１面１１から突出している。このように環状凸部８が板状部１０に支持されていることで、環状凸部８の捻れ等を防止することができ、また環状凸部８の配置を安定させることができる。したがって、環状凸部８とアダプター本体との間に安定したシールを形成することができる。
【００４０】
また、容器本体２の環状の上端面２ａは、アダプター本体４の天壁部４ｂに正対する環状の第１上端面２ｂと、環状の第１上端面２ｂにその外側または内側から接続し、天壁部４ｂに対して傾斜した環状の第２上端面２ｃと、を有する。容器本体２の上端面２ａのうち環状の第１上端面２ｂは、飲み口アダプター３を容器本体２に取り付ける際、環状の第２上端面２ｃに先行して弾性部材５の板状部１０に接触し、板状部１０を圧縮して弾性部材５との間にシールを形成する。このことによっても、飲み口アダプター３を容器本体２に取り付けるための力を低減させることができる。なぜなら、容器本体２の環状の上端面２ａの全てが天壁部４ｂに正対する場合と比較して、アダプター本体４の天壁部４ｂと容器本体２の上端面２ａとの間で圧縮される弾性部材５の体積を低減させることができるからである。
【００４１】
図示された例では、第２上端面２ｃは、第１上端面２ｂにその外側から接続し、容器本体２が画成する開口面（環状端面によって囲まれる面）に対し、環状の上端面２ａの外側に向けて、容器本体２の上下方向における下側に傾斜している。これにより、天壁部４ｂと周壁部４ａとの接続部４ｅとなる隅部に向けて環状凸部８を押し付けることが可能となる。このことによっても、環状凸部８の配置を安定させることができ、環状凸部８とアダプター本体４との間に安定したシールを形成することができる。
【００４２】
また、図４によく示されているように、環状凸部８は、第１上端面２ｂの外側（すなわち、第２上端面２ｃの上側端縁２ｄの外側）に位置している。これにより、天壁部４ｂと周壁部４ａとの接続部４ｅとなる隅部に向けて環状凸部８を押し付けるということを、より効果的に実現することができる。したがって、環状凸部８の配置を効果的に安定させることができ、環状凸部８とアダプター本体４との間にさらに安定したシールを形成することができる。
【００４３】
上述してきた一実施の形態によれば、飲料容器１は、一端で開口し他端を閉鎖された筒状の容器本体２と、上記開口を少なくとも部分的に閉鎖するように取り付けられ、飲み口を形成する飲み口アダプター３と、を備えている。飲み口アダプター３は、容器本体２に取り付けられるアダプター本体４と、アダプター本体４に保持された弾性部材５と、を有している。弾性部材５は、アダプター本体４に接触してシール部を形成する第１面１１と、第１面１１に対向して設けられ容器本体２の端面に接触してシール部を形成する第２面１２と、を含んでいる。そして、第１面１１には、アダプター本体４を容器本体２へ取り付けた状態においてアダプター本体４に押し付けられる環状凸部８が、設けられている。
【００４４】
このような飲料容器１によれば、飲み口アダプター３を容器本体２に取り付ける際に押し潰される弾性部材５の体積を低減させることができ、飲み口アダプター３を容器本体２に取り付けるための力を低減させることができる。また、飲み口アダプター３を容器本体２に取り付ける際に弾性部材５の環状凸部８をアダプター本体４に積極的に密着させることができるため、アダプター本体４や弾性部材５の個体差によって両者の密着性に違いが生じる虞を低減させることができる。したがって、飲み口アダプター３の個体差に依存することなく、アダプター本体４と弾性部材５との間に十分に安定してシールを形成することができる。以上により、上記飲料容器１によれば、飲み口アダプター３の個体差に依存することなく十分に安定してシールを形成しながら、飲み口アダプター３の容器本体２への取り付けに必要となる力を低減して、飲料容器１の取り扱い性を改善することができる。
【００４５】
上述の一具体例において、アダプター本体４は、円筒状の周壁部４ａと、周壁部４ａの全長に亘って接続した天壁部４ｂと、を有する。そして、環状凸部８は、天壁部４ｂと周壁部４ａとの接続部４ｅに沿って配置される。これにより、環状凸部８が天壁部４ｂと周壁部４ａとの接続部４ｅとなる隅部に沿って配置され、環状凸部８の配置を安定させることができる。この結果、環状凸部８とアダプター本体４との間に、安定したシールを形成することができる。
【００４６】
上述の一具体例において、容器本体２の端面２ａは、容器本体２が画成する開口面に対し、外側に向けて下側に傾斜する傾斜面（第２上端面）２ｃを有している。これにより、天壁部４ｂと周壁部４ａとの接続部４ｅとなる隅部に向けて環状凸部８を押し付けることができ、環状凸部８の配置を効果的に安定させることができる。この結果、環状凸部８とアダプター本体４との間に、安定したシールを効果的に形成することができる。
【００４７】
上述の一具体例において、環状凸部８は、上記傾斜面（第２上端面）２ｃの上側端縁２ｄの外側に位置している。これにより、天壁部４ｂと周壁部４ａとの接続部４ｅとなる隅部に向けて環状凸部８を押し付けて環状凸部８の配置を安定させる、ということを効果的に実現することができる。そして、環状凸部８とアダプター本体４との間に、安定したシールを効果的に形成することができる。
【００４８】
上述の一具体例において、アダプター本体４は、円筒状の周壁部４ａと、周壁部４ａの全長に亘って接続した天壁部４ｂと、を有している。また、弾性部材５は天壁部４ｂに沿って広がる板状部１０を含み、環状凸部８は板状部１０と一体的に形成されて板状部１０から突出している。環状凸部８が板状部１０に支持されることで、環状凸部８の捻れ等を防止することができ、環状凸部８の配置を安定させることができる。これにより、環状凸部８とアダプター本体４との間に、安定したシールを形成することができる。
【００４９】
上述の一具体例において、アダプター本体４の天壁部４ｂに孔（取付孔）４ｈが形成されている。また、弾性部材５は、板状部１０と一体的に形成されて飲み口部２０を形成する飲み口部２０を有している。そして、飲み口部２０は、アダプター本体４の天壁部４ｂに設けられた孔４ｈを通過している。このように異なる機能を有する各部１０，２０が一体的に形成されることにより、飲料容器１の部品点数を低減して洗浄時等の取り扱い性を改善することができる。また、各部１０，２０のアダプター本体４への組み付けを容易にすることができる。
【００５０】
上述の一具体例において、飲料容器１は、閉じた状態で飲み口を覆う開閉可能なキャップ６を更に備えている。キャップ６で飲み口部２０を覆うことにより、飲み口部２０を衛生的に保つことができる。
【００５１】
あるいは、上述してきた一実施の形態によれば、キャップ組立体は、容器本体２に取り付けられるキャップ組立体であって、容器本体２の開口を少なくとも部分的に閉鎖するように取り付けられ、飲み口を形成する飲み口アダプター３を備えている。飲み口アダプター３は、容器本体２に取り付けられるアダプター本体４と、アダプター本体４に保持された弾性部材５と、を有している。弾性部材５は、アダプター本体４に接触してシール部を形成する第１面１１と、第１面１１に対向して設けられ容器本体２の端面２ａに接触してシール部を形成する第２面１２と、を含み、第１面１１には、アダプター本体４を容器本体２へ取り付けた状態においてアダプター本体４に押し付けられる環状凸部８が、設けられている。
【００５２】
このようなキャップ組立体によれば、飲み口アダプター３を容器本体２に取り付ける際に押し潰される弾性部材５の体積を低減させることができ、飲み口アダプター３を容器本体２に取り付けるための力を低減させることができる。また、飲み口アダプター３を容器本体２に取り付ける際に弾性部材５の環状凸部８をアダプター本体４に積極的に密着させることができるため、アダプター本体４や弾性部材５の個体差によって両者の密着性に違いが生じる虞を低減させることができる。したがって、飲み口アダプター３の個体差に依存することなく、アダプター本体４と弾性部材５との間に十分に安定してシールを形成することができる。以上により、上記キャップ組立体によれば、飲み口アダプター３の個体差に依存することなく十分に安定してシールを形成しながら、飲み口アダプター３の容器本体２への取り付けに必要となる力を低減して、飲料容器１の取り扱い性を改善することができる。
【００５３】
一実施の形態を複数の具体例により説明してきたが、これらの具体例が一実施の形態を限定することを意図していない。上述した一実施の形態は、その他の様々な具体例で実施されることが可能であり、その要旨を逸脱しない範囲で、種々の省略、置き換え、変更を行うことができる。例えば、飲み口部２０の形状は図示したものに限られず、種々の形態を取ることができる。また。環状凸部８は、板状部１０と別体であってもよい。
【符号の説明】
【００５４】
１     飲料容器
２     容器本体
２ａ   上端面
３     飲み口アダプター
４     アダプター本体
４ａ   周壁部
４ｂ   天壁部
４ｅ   接続部
５     弾性部材
６     キャップ
７     ストロー
８     環状凸部
１０   板状部
１１   第１面
１２   第２面
２０   飲み口部
３０   ストロー受容部
【図１】
2020079100.tif 000003
【図２】
2020079100.tif 000004
【図３】
2020079100.tif 000005
【図４】
2020079100.tif 000006